(57)【要約】【課題】動画像の編集において画質劣化を防ぎつつ編集結果をリアルタイムで確認すること。【解決手段】ＲＡＷデータ記憶装置１は、動画像を構成する複数のＲＡＷデータを格納する。現像処理制御装置２は、複数のＲＡＷデータの現像に用いるパラメータを設定する。現像処理装置３は、パラメータを用いて複数のＲＡＷデータを逐次現像して画像データを生成する。画像データ記憶装置４は、画像データを格納する。表示装置５は、画像データを表示する。入力装置６は、パラメータ変更をする指令が入力される。現像処理制御装置２は、入力装置６を介して指令を受け取った場合、指令に応じてパラメータを変更し、変更したパラメータを現像処理装置３に出力する。現像処理装置３は、現像処理に用いるパラメータを変更したパラメータに変更して現像処理を行う。【選択図】図１
2016139895.tif 000002
【特許請求の範囲】
【請求項１】
動画像を構成する複数のＲＡＷデータが格納された第１記憶手段と、
前記複数のＲＡＷデータの現像に用いるパラメータを設定する現像処理制御手段と、
前記パラメータを用いて前記複数のＲＡＷデータを逐次現像して画像データを生成する現像処理手段と、
前記画像データを格納する第２記憶手段と、
前記画像データを表示する表示手段と、
前記パラメータを変更する指令が入力される入力手段と、を備え、
前記現像処理制御手段は、前記入力手段を介して前記指令を受け取った場合、前記指令に応じて前記パラメータを変更し、変更したパラメータを前記現像処理手段に出力し、
前記現像処理手段は、現像処理に用いるパラメータを前記変更したパラメータに変更して現像処理を行う、
動画像処理システム。
【請求項２】
前記入力手段に動画像の編集を完了する指令が入力された場合、
前記現像処理制御手段は、前記入力手段に、動画像の編集を完了する指令が入力された時点で前記現像処理手段が使用しているパラメータで前記複数のＲＡＷデータの現像させる、
請求項１に記載の動画像処理システム。
【請求項３】
前記現像処理制御手段と前記第２記憶手段とは、画像編集装置に搭載され、
前記現像処理手段と前記第１記憶手段とは、前記画像編集装置とは分離した動画像の撮像装置に搭載され、
前記入力手段と前記表示手段とは、前記画像編集装置と接続される、
請求項１又は２に記載の動画像処理システム。
【請求項４】
動画像を構成する複数のＲＡＷデータの現像に用いるパラメータを設定し、
前記パラメータを用いて前記複数のＲＡＷデータを逐次現像して画像データを生成し、
前記画像データを格納するとともに、前記画像データを表示し、
前記パラメータを変更する指令が入力された場合、前記指令に応じて前記パラメータを変更し、変更したパラメータを現像処理手段に出力し、
現像処理に用いるパラメータを前記変更したパラメータに変更して、現像処理を行う、
動画像処理方法。
【請求項５】
現像処理制御手段に、第１記憶手段に格納された動画像を構成する複数のＲＡＷデータの現像に用いるパラメータを設定させる処理と、
現像処理手段に、前記パラメータを用いて前記複数のＲＡＷデータを逐次現像して画像データを生成させる処理と、
前記画像データを第２記憶手段に格納する処理と、
前記画像データを表示手段に表示する処理と、
前記パラメータを変更する指令が入力される入力手段と、を備え、
入力手段を介して前記パラメータを変更する指令を受け取った場合、前記現像処理制御手段に、前記指令に応じて前記パラメータを変更させ、変更したパラメータを前記現像処理手段に出力させる処理と、
前記現像処理手段に、現像処理に用いるパラメータを前記変更したパラメータに変更して現像処理を行わせる処理と、をコンピュータに実行させる、
動画像処理プログラム。
【発明の詳細な説明】
【技術分野】
【０００１】
本発明は、動画像処理システム、動画像処理方法および動画像処理プログラム関し、特に動画像を構成するＲＡＷデータを処理する動画像処理システム、動画像処理方法および動画像処理プログラムに関する。
【背景技術】
【０００２】
デジタルカメラなどの撮像装置では、たとえばＣＭＯＳ（Complementary Metal Oxide Semiconductor）撮像素子などにより撮像を行い、静止画の画素情報をＲＡＷデータ（Raw Image Format）として取得する。そして、ＲＡＷデータを現像することで、ＪＰＥＧ（Joint Photographic Experts Group）などの画像データに変換する。
【０００３】
近年、デジタル画像の高画質化の進展に伴い、静止画のみならず動画像においてもＲＡＷデータを使用する可能性が高まっている（特許文献１）。
【先行技術文献】
【特許文献】
【０００４】
【特許文献１】特開２００９−１７１０６０号公報
【発明の概要】
【発明が解決しようとする課題】
【０００５】
ところが、発明者は、上述の編集手法には以下に示す問題点があることを見出した。現在、一般的な動画像編集を行う場合には、圧縮された動画像データを編集する。そのため、動画像データを編集する度に画像が劣化するおそれがある。かつ、動画像の編集においては、リアルタイムに編集結果を見ることが難しいという問題がある。特許文献１では、動画像を劣化させずに編集するためのＲＡＷ動画編集方法が提案されている。しかし、編集情報を作成したのち現像を行うため、リアルタイムで編集画像の確認を行うことはできない。
【０００６】
本発明は、上記の事情に鑑みて成されたものであり、動画像の編集において画質劣化を防ぎつつ編集結果をリアルタイムで確認することを目的とする。
【課題を解決するための手段】
【０００７】
本発明の一態様である動画像処理システムは、
動画像を構成する複数のＲＡＷデータが格納された第１記憶手段と、
前記複数のＲＡＷデータの現像に用いるパラメータを設定する現像処理制御手段と、
前記パラメータを用いて前記複数のＲＡＷデータを逐次現像して画像データを生成する現像処理手段と、
前記画像データを格納する第２記憶手段と、
前記画像データを表示する表示手段と、
前記パラメータを変更する指令が入力される入力手段と、を備え、
前記現像処理制御手段は、前記入力手段を介して前記指令を受け取った場合、前記指令に応じて前記パラメータを変更し、変更したパラメータを前記現像処理手段に出力し、
前記現像処理手段は、現像処理に用いるパラメータを前記変更したパラメータに変更して現像処理を行うものである。
【０００８】
本発明の一態様である動画像処理方法は、
動画像を構成する複数のＲＡＷデータの現像に用いるパラメータを設定し、
前記パラメータを用いて前記複数のＲＡＷデータを逐次現像して画像データを生成し、
前記画像データを格納するとともに、前記画像データを表示し、
前記パラメータを変更する指令が入力された場合、前記指令に応じて前記パラメータを変更し、変更したパラメータを現像処理手段に出力し、
現像処理に用いるパラメータを前記変更したパラメータに変更して、現像処理を行うものである。
【０００９】
本発明の一態様である動画像処理プログラムは、
現像処理制御手段に、第１記憶手段に格納された動画像を構成する複数のＲＡＷデータの現像に用いるパラメータを設定させる処理と、
現像処理手段に、前記パラメータを用いて前記複数のＲＡＷデータを逐次現像して画像データを生成させる処理と、
前記画像データを第２記憶手段に格納する処理と、
前記画像データを表示手段に表示する処理と、
前記パラメータを変更する指令が入力される入力手段と、を備え、
入力手段を介して前記パラメータを変更する指令を受け取った場合、前記現像処理制御手段に、前記指令に応じて前記パラメータを変更させ、変更したパラメータを前記現像処理手段に出力させる処理と、
前記現像処理手段に、現像処理に用いるパラメータを前記変更したパラメータに変更して現像処理を行わせる処理と、をコンピュータに実行させるものである。
【発明の効果】
【００１０】
本発明によれば、動画像の編集において画質劣化を防ぎつつ編集結果をリアルタイムで確認することができる。
【図面の簡単な説明】
【００１１】
【図１】実施の形態１にかかる動画像処理システムの構成を模式的に示すブロック図である。
【図２】実施の形態１にかかる動画像処理システムの使用態様の例を示す図である。
【図３】実施の形態１にかかる動画像処理システムでの情報のやりとりを模式的に示すブロック図である。
【図４】実施の形態１にかかる動画像処理システムの動画像の現像動作を示すフローチャートである。
【発明を実施するための形態】
【００１２】
実施の形態１
本実施の形態にかかる動画像処理システム１００について説明する。動画像処理システム１００は、動画像をリアルタイムで編集することができる。動画像処理システム１００では、撮影により作成された動画像を構成するＲＡＷデータ群に含まれる時間的に連続する複数のＲＡＷデータを逐次現像する。ユーザは、逐次現像されて表示される画像を見ながらリアルタイムに現像条件（パラメータ）を調整することで、動画像を所望の画質とすることができる。
【００１３】
図１は、実施の形態１にかかる動画像処理システム１００の構成を模式的に示すブロック図である。動画像処理システム１００は、ＲＡＷデータ記憶装置１（第１記憶手段とも称する）、現像処理制御装置２、現像処理装置３、画像データ記憶装置４（第２記憶手段とも称する）、表示装置５及び入力装置６を有する。ＲＡＷデータ記憶装置１、現像処理制御装置２、現像処理装置３、画像データ記憶装置４、表示装置５及び入力装置６は、通信部７により、それぞれ通信が可能である。
【００１４】
通信部７は、有線通信手段でもよいし、無線通信手段でもよい。また、通信部７は、有線通信手段と無線通信手段とを組み合わせて構成されてもよい。例えば、動画像処理システム１００が単一の機器として構成される場合、通信部７は、内部バスとして構成することができる。
【００１５】
ＲＡＷデータ記憶装置１には、動画像の撮影により作成されたＲＡＷデータ群が格納されている。動画像の撮影により作成されたＲＡＷデータ群は、動画像を構成するために時間的に連続して生成された複数のＲＡＷデータを含んでいる。本実施の形態では、ＲＡＷデータ記憶装置１に格納されたＲＡＷデータ群Ｒｇｒは、撮影タイミングがΔｔずつ異なるｎ（ｎは、２以上の整数）個のＲＡＷデータＲ１〜Ｒｎを含んでいる。ＲＡＷデータのそれぞれは、画像を構成する撮像素子の撮像結果を示すデータ（色、光強度などの画素情報）を含んでいてもよい。ＲＡＷデータ記憶装置１は、フラッシュメモリ、ハードディスクなどの各種の記憶装置を用いることができる。
【００１６】
また、ＲＡＷデータ群Ｒｇｒは、ＲＡＷデータＲ１〜Ｒｎの時間的な前後関係を示す情報を含んでいる。時間的な前後関係を示す情報は、ＲＡＷデータＲ１〜Ｒｎとは異なるファイルとしてＲＡＷデータ群Ｒｇｒに含まれてもよいし、ＲＡＷデータＲ１〜Ｒｎのファイル名に付した通し番号などで定義されてもよい。
【００１７】
さらに、ＲＡＷデータ群Ｒｇｒは、ＲＡＷデータＲ１〜Ｒｎの現像に用いるパラメータを含んでいてもよい。このパラメータは、例えば、ＲＡＷデータＲ１〜Ｒｎの作成時、すなわち撮像時の撮像条件を示すものであってもよく、又は、撮影モードなどの予め決定されたものであってもよい。
【００１８】
現像処理制御装置２は、現像に用いるパラメータを設定ないしは調整する。そして、現像処理制御装置２は、パラメータを現像処理装置３へ出力し、かつ、現像処理装置３が現像するＲＡＷデータを指定する。
【００１９】
現像処理装置３は、現像処理制御装置２から受け取ったパラメータを用いて、ＲＡＷデータ群Ｒｇｒに含まれるＲＡＷデータを逐次現像する。現像処理装置３は、現像して得た画像データを、画像データ記憶装置４及び表示装置５に出力する。
【００２０】
画像データ記憶装置４は、現像処理装置３から受けとった画像データを逐次格納する。画像データ記憶装置４は、フラッシュメモリ、ハードディスクなどの各種の記憶装置を用いることができる。
【００２１】
表示装置５は、現像処理装置３から受けとった画像データを、ユーザが視認可能な状態になるように逐次表示する。
【００２２】
入力装置６は、ユーザが動画像処理システム１００へ指令を与えるための入力手段である。本実施の形態では、ユーザは表示装置に逐次表示される画像を見ながら入力装置６を操作して、現像後の画像の画質を調整することができる。入力装置６を介して入力された情報は現像処理制御装置２に与えられる。現像処理制御装置２は、入力装置６を介して与えられた情報に基づいて、現像に用いるパラメータを変更し、変更したパラメータを現像処理装置３へ出力する。
【００２３】
図２は、実施の形態１にかかる動画像処理システム１００の使用態様の例を示す図である。現像処理制御装置２及び画像データ記憶装置４は、例えばパーソナルコンピュータなどのコンピュータ１０１で構成される画像編集装置に搭載される。コンピュータ１０１には、コンピュータ１０１から出力される情報をユーザが視認できる態様で表示する、液晶ディスプレイなどの表示装置５が接続される。また、コンピュータ１０１には、マウスやキーボードなど、ユーザがコンピュータ１０１に情報を入力するための入力装置６が接続される。ＲＡＷデータ記憶装置１及び現像処理装置３は、例えば、デジタルカメラ１０２などの撮像装置に搭載され、撮像により取得したＲＡＷ画像データを現像してＪＰＥＧ（Joint Photographic Experts Group）などの画像データに変換する際に使用される。なお、上述ではデジタルカメラ１０２について説明したが、これは例示に過ぎず、ビデオカメラなどの他のデジタル撮像機器としてもよい。
【００２４】
図２に示す動画像処理システム１００の使用態様はあくまで例示である。例えば、ＲＡＷデータ記憶装置１、現像処理制御装置２、現像処理装置３及び画像データ記憶装置４は、単一のコンピュータに搭載されてもよい。例えば、ＲＡＷデータ記憶装置１、現像処理制御装置２、現像処理装置３、画像データ記憶装置４、表示装置５及び入力装置６は、コンピュータやデジタルカメラ、ビデオカメラなどの単一の機器に搭載されてもよい。
【００２５】
続いて、動画像処理システム１００の動作について説明する。図３は、実施の形態１にかかる動画像処理システム１００での情報のやりとりを模式的に示すブロック図である。図４は、実施の形態１にかかる動画像処理システム１００の動画像の現像動作を示すフローチャートである。
【００２６】
ステップＳ１
ＲＡＷデータ群Ｒｇｒのうちで、編集作業において現像を開始するＲＡＷデータの番号ｋを指定する。ＲＡＷデータの番号ｋは、固定値（たとえば先頭を示す「１」）としてもよいし、ユーザが任意に指定してもよい。なお、ｋは、１≦ｋ≦ｎを満たす整数である。
【００２７】
ステップＳ２
現像処理制御装置２は、動画像の編集の開始に際し、初期パラメータＰｉｎｉを設定する。例えば、現像処理制御装置２は、ＲＡＷデータ記憶装置１から、現像を行うＲＡＷデータの番号ｋに対応するＲＡＷデータＲｋを読み込み、ＲＡＷデータＲｋに含まれている初期パラメータＰｉｎｉを取得してもよい。なお、初期パラメータＰｉｎｉは、図３に示すパラメータＰに対応する。
【００２８】
ステップＳ３
現像処理制御装置２は、現像に用いるパラメータＰを、現像処理装置３に出力する。
【００２９】
ステップＳ４
現像処理制御装置２は、現像するＲＡＷデータを指定する番号ｋを、現像処理装置３に出力する。
【００３０】
ステップＳ５
現像処理装置３は、ＲＡＷデータ記憶装置１から、現像を行うＲＡＷデータの番号ｋに対応するＲＡＷデータＲｋを読み込む。
【００３１】
ステップＳ６
現像処理装置３は、現像処理制御装置２から受けとったパラメータを用いて、ＲＡＷデータＲｋを現像する。
【００３２】
ステップＳ７
現像処理装置３は、現像して生成した画像データＩＭＧｋを画像データ記憶装置４及び表示装置５に出力する。画像データＩＭＧｋは、画像データ記憶装置４に格納され、かつ、表示装置５に表示される。
【００３３】
ステップＳ８
現像処理制御装置２は、現像を行うＲＡＷデータの番号ｋが現像を行うＲＡＷデータの総数ｎと同じであるかを確認する。現像を行うＲＡＷデータの番号ｋが現像を行うＲＡＷデータの総数ｎと同じである場合（ｋ＝ｎ）、現像処理制御装置２は現像処理を終了する。
【００３４】
ステップＳ９
現像を行うＲＡＷデータの番号ｋが現像を行うＲＡＷデータの総数ｎと異なる場合（ｋ≠ｎ）、現像処理制御装置２は、ＲＡＷデータの番号ｋに１を加算する処理（ｋ＝ｋ＋１）を行う。
【００３５】
ステップＳ１０
現像処理制御装置２は、入力装置６を介して、現像後画質の変更指令ＩＮＳを受け取ったかを確認する。現像後画質の変更指令ＩＮＳを受け取っていない場合、現像処理制御装置２は、処理をステップＳ４に戻す。
【００３６】
ステップＳ１１
現像後画質の変更指令ＩＮＳを受け取った場合、現像処理制御装置２は、変更指令ＩＮＳを反映するように、現像に用いるパラメータを調整する。そして、調整後のパラメータを現像処理装置３へ出力し、ステップＳ３へ戻る。
【００３７】
本構成によれば、動画像を構成する複数のＲＡＷデータを逐次現像して表示装置５に表示できる。そして、動画像処理システム１００のユーザは、表示装置５に表示される現像後の画像を見ながら入力装置６を操作して、現像条件を変更し、パラメータを調整できる。調整されたパラメータは、現像処理装置３での現像処理にすぐに反映されるので、ユーザは現像後の画質調整をリアルタイムで確認することができる。
【００３８】
以上、本構成によれば、ユーザが動画像の画質調整をリアルタイムで確認することができる。かつ、ＲＡＷ画像の現像条件を調整して動画像編集を行うので、圧縮データを編集する場合と比べ、編集後の画質劣化を防止することができる。
【００３９】
なお、ユーザが動画像の編集を完了、すなわち、画質調整を完了した場合、ユーザは入力装置６を介して編集完了を現像処理制御装置２に指令できる。この場合、現像処理制御装置２は、編集完了が指令された時点で使用しているパラメータを用いて編集に供したＲＡＷデータＲ１〜Ｒｎを同一パラメータで現像することで、ユーザが所望する動画像データを作成することも可能である。
【００４０】
その他の実施の形態
なお、本発明は上記実施の形態に限られたものではなく、趣旨を逸脱しない範囲で適宜変更することが可能である。上述の実施の形態では、本発明をハードウェアの構成として説明したが、本発明は、これに限定されるものではない。本発明は、動画像処理システム１００を、ＣＰＵ（Central Processing Unit）にコンピュータプログラムを実行させることにより実現することも可能である。つまり、ＲＡＷデータ記憶装置１、現像処理制御装置２及び現像処理装置３が行う処理が、ＣＰＵにコンピュータプログラムを実行させることにより実現される。
【００４１】
なお、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４２】
上述では、ＲＡＷデータ記憶装置１と画像データ記憶装置４とを別々の記憶装置として説明したが、ＲＡＷデータ記憶装置１と画像データ記憶装置４とは、単一の記憶装置として構成することができることは言うまでもない。
【符号の説明】
【００４３】
１  ＲＡＷデータ記憶装置
２  現像処理制御装置
３  現像処理装置
４  画像データ記憶装置
５  表示装置
６  入力装置
７  通信部
１００  動画像処理システム
１０１  コンピュータ
１０２  デジタルカメラ
ＩＭＧｋ  画像データ
ＩＮＳ  変更指令
ｋ  現像するＲＡＷデータの番号
Ｐ  パラメータ
Ｐｉｎｉ  初期パラメータ
Ｒｋ  ＲＡＷデータ
【図１】
2016139895.tif 000003
【図２】
2016139895.tif 000004
【図３】
2016139895.tif 000005
【図４】
2016139895.tif 000006